【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
画面を構成する複数の分割領域にそれぞれ対応する複数の発光領域を有する発光手段と、
前記発光手段からの光を変調することにより、入力画像に基づく表示画像を前記画面に表示する表示手段と、
前記複数の分割領域にそれぞれ対応する複数の輝度特徴量を、前記入力画像から取得する特徴量取得手段と、
第１のダイナミックレンジよりも広い第２のダイナミックレンジを示すレンジ情報を取得する第１の情報取得手段と、
前記画面に表示された前記表示画像の一部の画像領域であるＨＤＲ画像領域を示す領域情報を取得する第２の情報取得手段と、
前記領域情報に基づいて、前記複数の分割領域から、前記ＨＤＲ画像領域に対応する分割領域であるＨＤＲ分割領域と、前記ＨＤＲ画像領域に対応しない分割領域である非ＨＤＲ分割領域とを検出する検出手段と、
前記複数の分割領域のそれぞれの輝度特徴量、前記レンジ情報、及び、前記ＨＤＲ分割領域と前記非ＨＤＲ分割領域の検出結果に基づいて、前記非ＨＤＲ分割領域において前記第１のダイナミックレンジでの表示が行われ、かつ、前記ＨＤＲ分割領域において前記第２のダイナミックレンジでの表示が行われるように、前記複数の発光領域のそれぞれの発光輝度の個別制御と、前記入力画像の階調変換とを行う制御手段と、
を有することを特徴とする画像表示装置。
【請求項２】
前記制御手段は、前記表示画像とともに、前記ＨＤＲ画像領域を示す第１のグラフィック画像が表示されるように、前記入力画像と前記第１のグラフィック画像を合成する第１の合成手段を有する
ことを特徴とする請求項１に記載の画像表示装置。
【請求項３】
前記制御手段は、
前記複数の分割領域のそれぞれの輝度特徴量、前記レンジ情報、及び、前記ＨＤＲ分割領域と前記非ＨＤＲ分割領域の検出結果に基づいて、前記複数の発光領域のそれぞれの発光輝度を決定する決定手段と、
前記レンジ情報、前記ＨＤＲ分割領域と前記非ＨＤＲ分割領域の検出結果、及び、前
記複数の発光領域のそれぞれの発光輝度に基づいて、前記入力画像の階調変換を行う階調変換手段と、
を有し、
前記決定手段は、前記複数の発光領域のうち、前記非ＨＤＲ分割領域に対応する発光領域の発光輝度を、前記第１のダイナミックレンジに対応して設定された第１の輝度レンジを用いて決定し、前記複数の発光領域のうち、前記ＨＤＲ分割領域に対応する発光領域の発光輝度を、前記第２のダイナミックレンジに対応して設定された第２の輝度レンジを用いて決定する
ことを特徴とする請求項１または２に記載の画像表示装置。
【請求項４】
前記第１の輝度レンジと前記第２の輝度レンジの比は、前記第１のダイナミックレンジと前記第２のダイナミックレンジの比と一致する
ことを特徴とする請求項３に記載の画像表示装置。
【請求項５】
前記第１の輝度レンジの最小輝度は、前記第２の輝度レンジの最小輝度と一致し、
前記複数の分割領域のそれぞれの輝度特徴量は、前記複数の分割領域のそれぞれに表示された表示画像の最大階調値である
ことを特徴とする請求項３または４に記載の画像表示装置。
【請求項６】
前記階調変換手段は、前記非ＨＤＲ分割領域に対して第１の階調変換を行い、前記ＨＤＲ分割領域に対して、前記第１の階調変換とは異なる第２の階調変換を行う
ことを特徴とする請求項３〜５のいずれか１項に記載の画像表示装置。
【請求項７】
前記制御手段は、前記複数の発光領域の発光輝度の分布がなだらかになるように、前記決定手段によって決定された各発光領域の発光輝度を補正する平滑化手段をさらに有することを特徴とする請求項３〜６のいずれか１項に記載の画像表示装置。
【請求項８】
前記検出手段は、前記平滑化手段による補正後の発光輝度が前記第１の輝度レンジの外側の輝度である発光領域に対応する分割領域をＨＤＲ分割領域として用いて前記入力画像の階調変換が行われるように、前記ＨＤＲ分割領域と前記非ＨＤＲ分割領域の検出結果を補正する
ことを特徴とする請求項７に記載の画像表示装置。
【請求項９】
前記階調変換は、前記複数の発光領域のそれぞれの発光輝度に基づいて、前記発光手段から発せられて前記表示手段に照射される光の輝度である照射輝度を推定し、前記レンジ情報、前記ＨＤＲ分割領域と前記非ＨＤＲ分割領域の検出結果、及び、前記照射輝度の推定結果に基づいて前記入力画像の階調値を補正する処理を含む
ことを特徴とする請求項３〜８のいずれか１項に記載の画像表示装置。
【請求項１０】
前記制御手段は、前記表示画像とともに、前記ＨＤＲ分割領域ではなく、かつ、前記発光手段から発せられて前記表示手段に照射される光の輝度が閾値以上である前記画面の領域を示す第２のグラフィック画像が表示されるように、前記入力画像と前記第２のグラフィック画像を合成する第２の合成手段を有する
ことを特徴とする請求項１〜９のいずれか１項に記載の画像表示装置。
【請求項１１】
前記ＨＤＲ画像領域の少なくとも一部は前記ＨＤＲ分割領域に表示される
ことを特徴とする請求項１〜１０のいずれか１項に記載の画像表示装置。
【請求項１２】
前記領域情報は、前記画像表示装置に対するユーザ操作に応じて取得される
ことを特徴とする請求項１〜１１のいずれか１項に記載の画像表示装置。
【請求項１３】
前記レンジ情報と前記領域情報の少なくとも一方は、前記画像表示装置に対するユーザ操作に応じて取得される
ことを特徴とする請求項１〜１２のいずれか１項に記載の画像表示装置。
【請求項１４】
前記レンジ情報と前記領域情報の少なくとも一方は、外部装置から前記画像表示装置に入力される
ことを特徴とする請求項１〜１２のいずれか１項に記載の画像表示装置。
【請求項１５】
画面を構成する複数の分割領域にそれぞれ対応する複数の発光領域を有する発光手段と、
前記発光手段からの光を変調することにより、入力画像に基づく表示画像を前記画面に表示する表示手段と、
を有する画像表示装置の制御方法であって、
前記複数の分割領域にそれぞれ対応する複数の輝度特徴量を、前記入力画像から取得する特徴量取得ステップと、
第１のダイナミックレンジよりも広い第２のダイナミックレンジを示すレンジ情報を取得する第１の情報取得ステップと、
前記画面に表示された前記表示画像の一部の画像領域であるＨＤＲ画像領域を示す領域情報を取得する第２の情報取得ステップと、
前記領域情報に基づいて、前記複数の分割領域から、前記ＨＤＲ画像領域に対応する分割領域であるＨＤＲ分割領域と、前記ＨＤＲ画像領域に対応しない分割領域である非ＨＤＲ分割領域とを検出する検出ステップと、
前記複数の分割領域のそれぞれの輝度特徴量、前記レンジ情報、及び、前記ＨＤＲ分割領域と前記非ＨＤＲ分割領域の検出結果に基づいて、前記非ＨＤＲ分割領域において前記第１のダイナミックレンジでの表示が行われ、かつ、前記ＨＤＲ分割領域において前記第２のダイナミックレンジでの表示が行われるように、前記複数の発光領域のそれぞれの発光輝度の個別制御と、前記入力画像の階調変換とを行う制御ステップと、
を有することを特徴とする画像表示装置の制御方法。
【請求項１６】
請求項１５に記載の画像表示装置の制御方法の各ステップをコンピュータに実行させるためのプログラム。
【手続補正２】
【補正対象書類名】明細書
【補正対象項目名】０００８
【補正方法】変更
【補正の内容】
【０００８】
本発明の第１の態様は、
画面を構成する複数の分割領域にそれぞれ対応する複数の発光領域を有する発光手段と、
前記発光手段からの光を変調することにより、入力画像に基づく表示画像を前記画面に表示する表示手段と、
前記複数の分割領域にそれぞれ対応する複数の輝度特徴量を、前記入力画像から取得する特徴量取得手段と、
第１のダイナミックレンジよりも広い第２のダイナミックレンジを示すレンジ情報を取得する第１の情報取得手段と、
前記画面に表示された前記表示画像の一部の画像領域であるＨＤＲ画像領域を示す領域情報を取得する第２の情報取得手段と、
前記領域情報に基づいて、前記複数の分割領域から、前記ＨＤＲ画像領域に対応する分割領域であるＨＤＲ分割領域と、前記ＨＤＲ画像領域に対応しない分割領域である非ＨＤＲ分割領域とを検出する検出手段と、
前記複数の分割領域のそれぞれの輝度特徴量、前記レンジ情報、及び、前記ＨＤＲ分割領域と前記非ＨＤＲ分割領域の検出結果に基づいて、前記非ＨＤＲ分割領域において前記第１のダイナミックレンジでの表示が行われ、かつ、前記ＨＤＲ分割領域において前記第２のダイナミックレンジでの表示が行われるように、前記複数の発光領域のそれぞれの発光輝度の個別制御と、前記入力画像の階調変換とを行う制御手段と、
を有することを特徴とする画像表示装置である。
【手続補正３】
【補正対象書類名】明細書
【補正対象項目名】０００９
【補正方法】変更
【補正の内容】
【０００９】
本発明の第２の態様は、
画面を構成する複数の分割領域にそれぞれ対応する複数の発光領域を有する発光手段と、
前記発光手段からの光を変調することにより、入力画像に基づく表示画像を前記画面に表示する表示手段と、
を有する画像表示装置の制御方法であって、
前記複数の分割領域にそれぞれ対応する複数の輝度特徴量を、前記入力画像から取得する特徴量取得ステップと、
第１のダイナミックレンジよりも広い第２のダイナミックレンジを示すレンジ情報を取得する第１の情報取得ステップと、
前記画面に表示された前記表示画像の一部の画像領域であるＨＤＲ画像領域を示す領域情報を取得する第２の情報取得ステップと、
前記領域情報に基づいて、前記複数の分割領域から、前記ＨＤＲ画像領域に対応する分割領域であるＨＤＲ分割領域と、前記ＨＤＲ画像領域に対応しない分割領域である非ＨＤＲ分割領域とを検出する検出ステップと、
前記複数の分割領域のそれぞれの輝度特徴量、前記レンジ情報、及び、前記ＨＤＲ分割領域と前記非ＨＤＲ分割領域の検出結果に基づいて、前記非ＨＤＲ分割領域において前記第１のダイナミックレンジでの表示が行われ、かつ、前記ＨＤＲ分割領域において前記第２のダイナミックレンジでの表示が行われるように、前記複数の発光領域のそれぞれの発光輝度の個別制御と、前記入力画像の階調変換とを行う制御ステップと、
を有することを特徴とする画像表示装置の制御方法である。
【手続補正４】
【補正対象書類名】明細書
【補正対象項目名】００１０
【補正方法】変更
【補正の内容】
【００１０】
本発明の第３の態様は、上述した画像表示装置の制御方法の各ステップをコンピュータに実行させるためのプログラムである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】